(57)【特許請求の範囲】
【請求項１】
印刷する両面印刷文書用紙の反対側の第１と第２の側に両面印刷プリンタで正確に整合したページを印刷するようにする両面印刷保全装置であって、前記両面印刷プリンタは一方の側に印刷し、その反対側に裏を印刷する用紙を循環する両面印刷ループ経路と、両面に印刷した後に両面印刷文書用紙を送り出す出力経路とを有し、前記プリンタは前記両面印刷文書用紙の選別可能な領域にマークを選別的に印刷することができ、前記装置は、
前記印刷した両面印刷文書用紙が第１の光学センサを通過して送られるときに前記印刷した両面印刷文書用紙の第１の側をライン走査するように配置した前記両面印刷プリンタの前記出力経路に配置した前記第１の光学センサと、
前記印刷した両面印刷文書用紙が第１の光学センサを通過して送られるときに前記印刷した両面印刷文書用紙の第２の側をライン走査するように配置した前記両面印刷プリンタの前記出力経路に配置した第２の光学センサとからなり、
各々の前記印刷両面印刷文書用紙のシーケンスの前記対向する第１と第２の側は対応して間隔をあけられた平行な前記印刷マークで印刷するが、前記シーケンスの異なる前記用紙に付いては前記用紙上の前記マークの間隔を異ならせた両面印刷保全装置。
【請求項２】
比較回路を含み、それにより前記第１と第２の光学センサは前記比較回路に電子的に接続した各々の出力信号を出し、前記センサを通過する、対応して間隔をあけられた印刷マークが反対側に印刷されていない両面印刷文書用紙に対応して、前記第１と第２の光学センサが異なる時に異なる出力信号を比較回路に出す時に、両面印刷エラー信号を出すようにした請求項１の両面印刷保全装置。
【請求項３】
いずれかの一時に、前記プリンタの前記両面ループ経路において、前記異なって間隔をあけられた印刷マークを有する用紙の数は７以下であり、用紙一面当たりの前記印刷マーク数は２以下である請求項１の両面印刷保全装置。
【発明の詳細な説明】
【０００１】
【発明の属する技術分野】
本発明は両面印刷の保全性を提供する改善形の単純かつ低コスト装置に関する。
【０００２】
【従来の技術】
比較的複雑な両面印刷保全装置では以下に詳細に記すように、両面印刷で検出エラー特に用紙の反対側に印刷したページ像の順番や関係が不正確あるいは互いに適切に関連していない場合に対応して信号を検出し、印刷を停止することが知られている。さもなくば用紙の反対側のページは誤って同一ジョブのものでなかったり、あるいは同一顧客のものでない、あるいは複数ページ印刷ジョブのページが欠けているか、誤って混ざっていることになる。
【０００３】
以下の開示例で示すように、本発明者はページエラー検出機能にプリンタ制御マイクロプロセッサやその他の印刷ページシーケンス情報との接続や調節を必要としないことで、両面印刷保全装置をかなり単純化でき、他のシステムエラーと独立したものにできることを見い出した。開示するようにそれはその代わり、それ独自の単純な内蔵式電子部品並びに両面印刷用紙の両側の余白に印刷する非常に単純で比較的微妙でない小さい間隔を空けたマークに依存し、その単純に間隔を空けたマークはプリンタの出力経路に沿って適切に用紙の反対側を光学的に走査する単純なラインセンサで読み取って両面印刷エラーを検出して信号を出すことができる。その両面印刷エラー信号情報はオペレータ警告を表示したり、ジョブ回復モードのための信号を出したり、少なくとも誤って印刷した用紙の自動的な排除などに使用することができ、プリンタの停止を必ずしも必要としない。
【０００４】
【発明が解決しようとする課題】
この新規の両面印刷保全装置は特に個人の機密文書の両面印刷並びに顧客送り状その他の複数ページの両面印刷エラーに対し慎重を要するもので特に貴重なものとなり得る。例えば金融業界では現在、特定の印刷文書に関し多くの顧客は画像が混ざらないように１００％の保証を要求している。しかし両面複写機や両面電子プリンタでは両面印刷中にしばしば不可避的にページの順番が狂い、即ち両面印刷経路で用紙が順番から外れることがある。例えば両面印刷トレイないし経路で１枚の用紙が別の用紙の上に載らずに「飛び出し」たり、下に来ることで、あるいはオペレータが用紙経路のジャムをクリアした後に用紙の順番が狂うことがある。今日、バーコード走査装置が市販されており、一部の顧客はそれを印刷機用に購入し、用紙に印刷したページ識別バーコード（以下を参照）で使用している。顧客にはそのコストは機械当り４５，０００ドルもするが、それでもそれらの顧客は両面印刷の保全性チェックのためにこの高い価格を進んで支払っている。更に印刷バーコードシステムでは、標準バーコードは比較的大きな面積を取り、多くのバーを細かく密に配置して非常に目につくパターンを有する故に、顧客がバーコードマークを目障りに感じる場合には用紙の下半分をトリムする必要があることがある。よく知られているように、バーコードは正確に印刷しなければ適切に読み取ったり走査できない。即ちバーコードはバーの寸法、鮮明度及び間隔に関して印刷する際に非常に微妙なものとなる。
【０００５】
本装置はそのような両面印刷保全機能をはるかに単純で、微妙さがなく、非常に低コストで提供することができる。微妙なバーコード印刷は必要でなく、ＵＶ（紫外線）不可視インクないしトナーなどの新規の余分なあるいは特殊なインクを使用する必要はなく、又既存のプリンタに追加の印刷ステーションや印刷装置を追加する必要もない。本装置ではソフトウエアを殆どあるいは全く追加しない単純な電子部品を使用することができ、既存の両面印刷機に現場ででも容易に追加できる。
【０００６】
電子両面印刷ページ順序確認に特に関連する従来技術の参考文献に、スペリー社によるシュオンフェルド他に対して１９８２年９月７日に授与された米国特許４，３４８，１０１号がある。その１０〜１１項にわたる節、要約の１５〜１８行、図１の上部用紙表面センサ１３２、１３４及び図４では特に全般的に、符号化ページ化のために印刷する第１の側の１辺上の短い太細の暗線のパターンを示し、印刷コードは用紙の第２の側（反対側）を印刷する直前に同一側（上面）だけで光学的に検出してどの用紙を両面印刷しているかを検出し、間違った用紙を両面印刷している場合には印刷終了制御信号を出すようにしている。しかし全般的に示しているが明確に教示していないように、本装置を対照にして以下に説明するように、この４，３４８，１０１号タイプの装置では、プリンタのマイクロコントローラ５０２の可変ページ印刷情報とのソフトウエア調節が必要となる。
【０００７】
両面印刷システム特にレーザその他の電子プリンタの全般的な背景として、前記の米国特許４，３４８，１０１号に加えて、両面化経路を有する様々なそのようなシステム及びその動作がよく知られており、従ってここでそれらを説明する必要はない。例えばゼロックス社の米国特許５，３３７，１３５号、５，１５９，３９５号、５，０９５，３４２号、５，０１４，９７７号、４，９４１，０２３号、４，９１８，４９０号、４，７０８，４６２号その他のここに引用した技術がある。インクジェット印刷用の別の両面印刷システムはミード社によるボビック他に対する米国特許４，４５３，８４１号に示されている。
【０００８】
【課題を解決するための手段】
ここに開示する特定の実施例の特定の特徴は、印刷する両面印刷文書用紙の反対側の第１と第２の側に両面印刷プリンタで正確に整合したページを印刷するようにする両面印刷保全装置であって、前記両面印刷プリンタは一方の側に印刷し、その反対側に裏を印刷する用紙を循環する両面印刷ループ経路と、両面に印刷した後に両面印刷文書用紙を送り出す出力経路とを有し、前記プリンタは前記両面印刷文書用紙の選別可能な領域にマークを選別的に印刷することができ、前記装置は、前記印刷した両面印刷文書用紙が第１の光学センサを通過して送られるときに前記印刷した両面印刷文書用紙の第１の側をライン走査するように配置した前記両面印刷プリンタの前記出力経路に配置した前記第１の光学センサと、前記印刷した両面印刷文書用紙が第１の光学センサを通過して送られるときに前記印刷した両面印刷文書用紙の第２の側をライン走査するように配置した前記両面印刷プリンタの前記出力経路に配置した第２の光学センサとからなり、各々の前記印刷両面印刷文書用紙のシーケンスの前記対向する第１と第２の側は対応して間隔をあけられた平行な前記印刷マークで印刷するが、前記シーケンスの異なる前記用紙に付いては前記用紙上の前記マークの間隔を異ならせた両面印刷保全装置である。
【０００９】
ここに開示する特定の実施例の更なる特定の特徴は、個別ないし組合せで、比較回路を含むこと、第１と第２の光学センサは比較回路に電子的に接続した各々の出力信号を出して、反対側に対応して配置した印刷マークを有して印刷していない両面印刷文書用紙がセンサを通過するのに対応して第１と第２の光学センサが異なるときに異なる出力信号を比較回路に出すときは両面印刷エラー信号を出すこと、時間遅延回路を少なくとも第１と第２の光学センサと比較回路間に接続して第１と第２の光学センサ及び印刷マークを互いにオフセットにすることが出来るようにすること、印刷マークを単純な小さいベタ領域であること、印刷マークは両面印刷文書用紙の１辺の余白に全て配置すること、印刷マークを互いに線形に可変に配置して実質的に離間した３以下の単純な離散小ベタ領域とし、各々の両面印刷文書用紙の上部ないし底部の印刷しない縁の余白だけに印刷すること、シーケンスは所与の時にプリンタの両面印刷ループ経路内の用紙の数に対応すること、一時に異なって配置したマークを有する数枚の用紙は７以下とすることができ、あるいは用紙当りのマーク数は２以下とすることができることがある。
【００１０】
ここに開示する装置を使用できる様々な印刷システムは通常の制御システムで容易に作動し、制御することができる。画像化、印刷、文書化、用紙処理制御機能及びロジックを通常ないし汎用マイクロプロセッサ用のソフトウエア命令でプログラムし実行することはよく知られており、通常のこととなっている。
【００１１】
【実施例】
図１は主題の両面印刷保全装置の１例を有する模式的な両面印刷プリンタの１例を示し、プリンタ出力経路に２つのマーク検出センサを含み、模式的なプリンタ制御装置とディスプレイに接続した例示的な両面エラー信号出力を有する接続回路の例示的なブロック図である。
図２〜５は図１の両面印刷プリンタの両面印刷経路内の順次の用紙の１例を示し、所与の時に（例えば４用紙両面印刷ループについて）、図１ないし１０のマーク検出センサの１つで読み取るため用紙の１つの余白に沿って給紙方向の線形に読み取り可能な分散配置した例示的なマーク指標を有し、隠れ線のボックスは印刷したマーク間の非印刷スペースを例示のために示している。
図６〜９は図２〜５の用紙の第２の側（反対側）に印刷したそれぞれ正しいページ順を示し、各々はエラーなし両面印刷を示す図１の反対側のマーク検出センサから整合センサ出力を提供するため、第１の側のマーク配置に合致するないし空間的に対応する類似の整合ないし対応する例示的な分散マーク指標を示している。
図１０Ａ，１０Ｂは両側にマークをした例示的な両面印刷用紙の図１（模式的な正面辺図）の拡大用紙出力部分であり、図１０Ａでは非対応（非整合）マークパターンが不適切な両面印刷ページ整合を示し、図１０Ｂでは用紙の反対側の整合マークパターン及びわずかにオフセットしたパターンと、わずかにオフセットした上下のセンサを示している。図１０のマークは例示のため厚さを誇張して示す。
【００１２】
図示する例を参照すると、図１は例示的な周知の両面化ループ経路１３を有する両面印刷プリンタの１例１２内に設置した主題の両面印刷保全装置の１例１０を示している。両面印刷保全装置１０はここで、各々の両面印刷用紙１７をライン走査するためプリンタ出力経路１８の上下にそれぞれ取り付けた２つの単純反射光学センサ１４、１６を有している。各々の用紙１７はそれらのセンサを過ぎて通常のプリンタ出力経路１８を通常に一方向に移動する。センサ１４、１６出力はここで、単純比較回路２０からなる適切な単純接続回路の例示的なブロック図例に接続している。本例では、比較回路２０は本例で模式的な通常に存在するプリンタ制御装置１００とディスプレイ３２に接続する両面印刷エラーを通知する例示的な出力２２を有している。
【００１３】
この装置１０の例では、両面印刷の保全性は、好適に両面印刷する用紙１７上だけの１つ以上の単純な比較的小さい印刷暗部４０で上記と調節し、好適にプリンタ制御装置１００と接続したオペレータディスプレイ３２上のタッチスクリーンその他のスィッチ３４などでオペレータが機密両面印刷を選択した場合にのみ提供される。本例ではこの機能の印刷指標は、黒のボックス４０で印刷して例示した単純かつ小さいべた領域のみである。１つないし２つのそのような小さいボックスを通常に両面印刷する用紙１７の両面にプリンタ１２で追加的に印刷するだけである。１例を図２〜８に示す。１つ以上のそのようなボックス４０は、両面印刷用紙１７（本例の４用紙長両面経路では用紙１７ａ、１７ｂ、１７ｃ、１７ｄ）の１辺の余白だけに沿って望ましく可変に離間して、以下に説明するように有効な両面ページ番号印刷エラー検査を提供することができる。単純な単一マーク４０はプリンタ内で容易に自動的に生成でき、上記に述べた特許で述べたように制御装置１００で既に判定された両面印刷ページ番号シーケンスを有している。その選択印刷場所を有するマーク４０は、周知のページ番号から単純なフォント生成システムで印刷することができる。フォント生成はよく知られており、広範に市販されている。一部のフォント生成例はゼロックス社のＲ．フューベ他に１９９２年１１月２４日に授与された米国特許５，１６７，０１３号、１９９４年３月１日に授与された米国特許５，２９１，２４３号その他のここに言及する従来技術で言及されている。更に図示するような４角の濃いボックス４０はいくつかの説明する利点を有しているが、その代わりに１つ以上のボールドの妥当な大きさのポイントのローマ数字の「Ｉ」あるいは太いべたの（中空でない）印刷大文字の「Ｉ」などのいくつかの既存にあるそのようなプリンタフォントを使用することもできる。いずれにせよ、マーク４０は図示するようにページの底部などに沿って好適に用紙の画像のない余白部分に同一ライン（に沿って）単純に印刷する。マーク４０は所望により図示するように間隔を設けて印刷することもできる。
【００１４】
用紙上のマーク４０のパターンは実際のページ番号である必要はなく、単にその時の両面ループないし経路内のそのページ番号ないし正確なシーケンス位置である。各々の用紙の反対側に同一パターンを印刷するので、同一マーク指標パターンを本例の４用紙両面経路長さで４枚の用紙毎に再使用することができる。この用紙毎のマーク４０の必要な分散ないし区別可能なパターン数を減らすことで、より単純になって微妙に間隔を空ける必要がなくなり、それにより更に以下に説明するように微妙に印刷したり微妙に読み取り可能なマークを印刷する必要がなくなる。複写機で長い両面経路、特に中間両面スタックトレイを使用する場合、マーク４０のより分散したパターンがもちろん必要になる。
【００１５】
各々の用紙１７の集合に付いて各々のページ（各々の両面印刷用紙側）を印刷すると、一時に両面経路を占めるが、１つ以上のマーク４０が各々の用紙独自の分散ないし独自のマーク位置にその１本の線ライン位置に沿って線形に印刷される。それらの単純に印刷されるべたのマーク４０は正確に印刷される場合はすべて直線になって図１及び図１０に示す出力経路１８の単純固定光学センサ１４、１６で読み取った場合に単純に区別可能な信号シーケンスを提供する。これは更に説明するように正確なページ順両面出力を確保するのに使用する。用紙１７の一方の側のそのようなマーク４０は全て、用紙の移動方向、即ちセンサが位置する印刷エンジン１２の一部を通してコピー用紙１７の用紙経路方向に平行なライン上に一貫してある。これは用紙１７のシーケンス内で１ラインだけを見ている１つの単純固定反射光学センサ１４ないし１６が用紙がその１つのセンサを通過するときに用紙のその側の１つの辺に沿って印刷されたマーク４０をすべてピックアップできるようにするためである。
【００１６】
なお、このセンサ１４、１６は両方とも両面印刷経路１３、印刷ないし画像転写ステーション及び画像定着ステーションから十分、下流にあり、全ての用紙の両面の印刷及び定着が完了した後にのみ両面印刷エラーに関して用紙１７を走査する、即ちプリンタ１２の殆ど全ての潜在的な用紙エラーないしジャム場所の下流にあるので、センサ１４と１６の下流で生じる両面印刷エラーは不可能に思われる。
【００１７】
例えば図２〜９及び図１０Ｂには、同一用紙１７の両面に図示するように左から右の用紙走行方向に沿って同様に離間した等しい数のマーク４０が示されている。用紙１７の上側のマーク４０は出力経路１８で上部センサ１４の下側を通過する。更に用紙走行方向に平行なライン上の例示的な用紙の同様に離間した第２の側のマーク４０も出力経路１８内で第２の側の固定反射センサ１６を通過する。マークの第１の側のラインと第２の側のラインは従って平行であるが、必ずしも直接に互いに重なっていない。マークないしセンサは図１０Ｂに示すように横方向にオフセットないし処理方向にオフセットすることができる。
【００１８】
尚、一般的な両面印刷では、ほとんどのコピー用紙はプリンタ用紙経路を通して側方ないし長辺を最初に送り、両面印刷する用紙はその第２の側の印刷前に両面印刷経路内で先端と後端が反転し、裏返しにされる。従って用紙の反対側のマークの整合ないし重複位置を提供するため、好適に用紙の片側の先端から離して印刷し、他方の側では後端から離して印刷する。これは図６〜９の例示的な用紙１７ａ〜１７ｄを図２〜５のその各々の用紙とを比較することで分かる。更に奇数ないし偶数ページ側を第１ないし第２に印刷することができる、即ち特定の印刷システムないし上向きないし下向きの所望の用紙出力方位及び出力ないしいずれの接続仕上げ装置での用紙の反転により、両面印刷経路ループの前ないし後に印刷できることに留意する。
【００１９】
図１に示すように、そのように対応して番号付けし離間してオーバーレイした表と裏側のマーク４０パターンにより、図示するような通常の標準ロジック「排他的ＯＲゲート」のような単純な比較回路２０を使用して上下の用紙センサ１４、１６からの各々の逐次信号を単純に比較できる。正確なページが両面印刷されていれば、その上下のマークパターンは対応し、それにより両センサは、図１０Ｂの例示信号で示すように同一用紙の各々の側の対応するマークが２つのセンサを通過するとほぼ同時に対応するマーク４０によりトリガされる。従って比較回路２０は単に、２つのセンサがほぼ同時に同一信号（ないし信号の欠如）を出しているかどうかだけを見るだけでよい。その用紙に関して２つのセンサの出力間の持続的な相違があれば、比較回路２０は両面印刷エラー信号をいつでも生じる。
【００２０】
マーク４０の大きさ、間隔、位置その他のそのような変化の微妙さを更に所望により削減するため、比較回路２０には（内部にあるいはその出力に接続して）好適によく知られた単純な容量的ないしフィードバック積分ないし２進化しきい値ないしその他のそのような周知のフィルタリングを含めることができる。そのようなフィルタリングにより、必要な「排他的ＯＲゲート」入力不整合（１つの入力信号の存在と他の入力信号の欠如）が実質的な事前設定期間持続しない限り、両面印刷エラー信号出力を防ぐことができる。このフィルタ期間は短いあるいは遷移的な入力不整合、用紙のどちらからの側のマークの大きさ、配置ないし位置の変化をフィルタできる十分長いものであるべきであり、かつ次のマークの不正確な読み取りを防ぐために最低マーク配置以下の長さとすべきである。それにより比較回路２０及び従って全体的装置１０は、用紙のどちらかの側の大間かなマーク４０の大きさ、配置ないし位置の変化による短いないし遷移的な不整合に反応しなくなり、この全体的装置は過渡電流や雑音パルスの影響を全く受けなくなる。これははるかに速いオン、オフセンサ出力信号を生成し、それによりそれほど厳しくフィルタできず、従ってよく知られているようにラインサイズやそれらの相対的な配置での印刷精度がはるかに微妙なバーコードその他の精細パターンでは行うことができない。
【００２１】
回路２０での持続的なセンサ出力比較からのこの両面印刷エラーないし用紙ページの上下の不整合信号は、様々な異なるオペレータ信号表示や制御機能、あるいは自動ないし手動のプリンタ両面印刷経路の排除や再印刷サイクルないし停止に使用することができる。この装置を組み合わせることができるプリンタ用紙排除とジョブ回復システムの一部の例は米国特許５，０４５，８８１号に記載ないし引用されている。本明細書の図１の例に示すように、両面印刷エラーを示す比較回路２０の出力２２は模式的なプリンタ制御装置１００並びにオペレータディスプレイ３２に接続でき、そのような機能を起動することができる。この開示した装置１０により、整合していない表と裏の画像を有する両面印刷文書を感知した後、そのミスプリントした用紙及び排除する必要のある他の隣接用紙を図１に示すような５０などの自動的に起動する排除ゲートにより排除トレイ５２に進路を変え、別の用紙ないし用紙の集合を正確に再印刷することができる。このジョブ補正は自動的でオペレータには透過的なものである。従って上述の従来技術で示唆されるようなプリンタの停止や再スタートは必ずしも必要でなくなる。両面印刷エラー検出信号は更に診断及び修理情報のために記憶したり遠隔送信することができる。
【００２２】
単純な時間遅延回路３６ないし３８を図１に示すようにセンサ出力の１つないし両方と比較回路２０間にオプションで追加的に設けることができる。それにより反対側の用紙のセンサ１４、１６ないしマーク４０を処理ないし給紙方向に食い違いないしオフセットしても比較回路２０に実質的に同時ないし時間重複信号を提供することができる。
【００２３】
この単純でスタンドアロンないし自己充足型の両面印刷エラー検出装置１０では、所与の時間にどの用紙が予期されたるを告げるプリントエンジンからの情報を受ける必要がない。従ってプリンタプロセッサとその検出装置間の通信リンクが必要でなく、それによる大きなソフトウエアの変更も必要でない。本装置は従って残りの装置に殆ど干渉をもたらさない既存ないし新プリンタに挿入する単純な付加物ないしモジュールとすることができる。
【００２４】
マーク４０の上下の高さは、例えばある地点の用紙経路の用紙の辺整合のエラーなどのあらゆる許容条件下でセンサでピックアップするのに十分なものでよい。マーク４０の幅ないし処理運動方向寸法は非常に小さくすることができ、十分な持続時間ないしパルス幅の明確なセンサ信号を提供することができればよい。しかしマークの幅が広ければ、２つのセンサ信号が重複するより大きなタイミング範囲を提供でき、マーク印刷位置の微妙さは少なくなる。
【００２５】
マークは全て相対的に邪魔にならないものとすることができ、例えば２ｃｍ以下の、通常の空白ないし非画像ページの余白領域以外を占める必要がないあるいは必要とせず、通常、ともかくほとんどの文書ページの底部ないし上部に沿って提供される。図面に示すマーク４０は明確に例示するために誇張してある。他の形のマークを使用することも可能である。上述したように全てのマーク４０には文書の通常の印刷をしない縁の余白領域ないしスペースしか必要でなく、小さい黒のボックス４０はバーコード像ほど気に障るものではない。特殊用紙も必要でない。１例としてマーク４０は実質的に２０ｍｍ×２０ｍｍ以下、好適に１ｃｍ以下とすることができ、そのためのセンサは１３０Ｅ０５３４０型のような標準版反射タイプセンサとすることができる。その他の様々な適切な光学センサがある。更に精細なセンサを使用すればボックス４０を更に小さくすることができる。
【００２６】
通常の中心整合プリンタ用紙経路システムの代わりに辺整合システムに付いては、マーク４０は第２の側の印刷後にその整合辺に隣接して送られる用紙辺上（内側ないし外側用紙辺）に印刷する。従って異なる大きさの用紙に付いてセンサもマークも配置替えする必要はない。
【００２７】
上述したように両面印刷経路内の数枚の用紙間で区別するために位置ないし数でマーク位置を変えるだけでよい。それはゼロックス社の４８５０ないし４８９０プリンタ製品両面印刷ループでは４枚で、ゼロックス社の両面印刷オプション（８１３）９７００プリンタなどでは７枚である。即ち所与の時間に於て両面印刷経路内の制限された数の用紙を別々にマークするだけでよく、従って複数用紙両面印刷バッファスタックトレイなしにそれらのいつかの異なるマーク位置が両面印刷プリンタで必要なだけである。従ってマークの位置は全く微妙でなく、特にバーコードパターン及びバーコード読取り装置に比べて大きな印刷精度範囲並びに大きな整合及び読取りエラー許容範囲が可能になる。例えば単純な回路によりマークボックス位置の１０ｍｍまでの変化が可能になるが、それでも比較整合を達成し、この機能を調節することができる。なお、５つのマーク位置及び側毎に最大２つのマークだけでも１５の可能な組合せがある。マーク位置の数及び側毎のマークの数を増やすと更に多くの組合せをもたらすことができる。
【００２８】
ここに開示する実施例は好適なものであり、当業者に取ってはその教示から様々な変形や修正、改善を為すことができることは明かであり、従って本発明は以下の特許請求項の範囲に包含されるものとする。
【図面の簡単な説明】
【図１】  主題の両面印刷保全装置の１例を有する模式的な両面印刷プリンタの１例を示すブロック図である。
【図２】  図１の両面印刷プリンタの両面印刷経路内の順次の用紙の１例を示す説明図である。
【図３】  図１の両面印刷プリンタの両面印刷経路内の順次の用紙の１例を示す説明図である。
【図４】  図１の両面印刷プリンタの両面印刷経路内の順次の用紙の１例を示す説明図である。
【図５】  図１の両面印刷プリンタの両面印刷経路内の順次の用紙の１例を示す説明図である。
【図６】  図２〜５の用紙の第２の側（反対側）に印刷したそれぞれ正しいページ順を示す説明図である。
【図７】  図２〜５の用紙の第２の側（反対側）に印刷したそれぞれ正しいページ順を示す説明図である。
【図８】  図２〜５の用紙の第２の側（反対側）に印刷したそれぞれ正しいページ順を示す説明図である。
【図９】  図２〜５の用紙の第２の側（反対側）に印刷したそれぞれ正しいページ順を示す説明図である。
【図１０】  Ａ，Ｂは両側にマークをした例示的な両面印刷用紙の図１の用紙出力部分拡大説明図であり、図１０Ａでは非対応（非整合）マークパターンが不適切な両面印刷ページ整合を示し、図１０Ｂでは用紙の反対側の整合マークパターン及びわずかにオフセットしたパターンと、わずかにオフセットした上下のセンサを示している。
【符号の説明】
１０  両面印刷保全装置、１２  両面印刷プリンタ、１３  両面化ループ経路、１４，１６  光学センサ、１７  両面印刷用紙ライン、１８  プリンタ出力経路、２０  単純比較回路、３２  ディスプレイ、３４  スイッチ、３６，３８  遅延回路、４０  マーク、５２  排除トレイゲートアクチュエータ、１００  プリンタ制御装置
【図１】
0003831449.tif 000002
【図２】
0003831449.tif 000003
【図３】
0003831449.tif 000004
【図４】
0003831449.tif 000005
【図５】
0003831449.tif 000006
【図６】
0003831449.tif 000007
【図７】
0003831449.tif 000008
【図８】
0003831449.tif 000009
【図９】
0003831449.tif 000010
【図１０】
0003831449.tif 000011